(57)【要約】【課題】  装飾部材が移動する方向を任意の方向にすることのできる遊技機の可動装飾装置を提供すること。【解決手段】  装飾部材Ａを備えたパチンコ機１０の可動装飾装置２０を、ベース部２１と、伸縮可能なスライドレール３３と、スライドレール３３の両側に設けられた複数のレールプーリ３４ａ等と、伸長糸部材３７と、収縮糸部材３８と、モータ２２と、モータプーリ２３とで構成した。伸長糸部材３７は、スライドレール３３の一方側に設けられたレールプーリ３４ａ等とモータプーリ２３に掛け渡しモータ２２の一方の回転によってスライドレール３３を収縮状態から伸長状態にするようにした。収縮糸部材３８は、スライドレール３３の他方側に設けられたレールプーリ３５ｂ等に掛け渡してモータ２２の他方向の回転によってスライドレール３３を伸長状態から収縮状態にするようにした。【選択図】  図１１
2014004004.tif 000002
【特許請求の範囲】
【請求項１】
遊技面を装飾するための装飾部材を備えた遊技機の可動装飾装置において、
前記遊技機の本体側に取り付けられるベース部と、
前記ベース部に固定された基端側レールと、前記装飾部材を支持する先端側レールとを含む複数のレールからなり、前記ベース部から伸縮可能になったスライドレールと、
前記ベース部と、前記複数のレールの伸縮方向の端部の両側部とのうちの所定部分にそれぞれ設けられた複数のレールプーリと、
前記複数のレールプーリのうちの前記ベース部および前記複数のレールの一方の側部に設けられたレールプーリに掛け渡され前記ベース部側に位置する部分を引っ張ることにより前記スライドレールを収縮状態から伸長状態にし、前記ベース部側に位置する部分を引っ張った状態を解除することにより前記スライドレールを収縮可能にする伸長糸部材と、
前記複数のレールプーリのうちの前記ベース部および前記複数のレールの他方の側部に設けられたレールプーリに掛け渡され前記ベース部側に位置する部分を引っ張ることにより前記スライドレールを伸長状態から収縮状態にし、前記ベース部側に位置する部分を引っ張った状態を解除することにより前記スライドレールを伸長可能にする収縮糸部材と、
正逆回転するモータと、
前記伸長糸部材と前記収縮糸部材との前記ベース部側に位置する部分を巻回可能で、前記モータの作動によって一方に回転して前記伸長糸部材を巻き取ることによって前記スライドレールを伸長させ、前記モータの作動によって他方に回転し前記収縮糸部材を巻き取ることによって前記スライドレールを収縮させるモータプーリと
を備えたことを特徴とする遊技機の可動装飾装置。
【請求項２】
前記ベース部および前記複数のレールの一方の側部に設けられたレールプーリと、前記ベース部および前記複数のレールの他方の側部に設けられたレールプーリとを、それぞれ同軸上に位置する一対のレールプーリで構成した請求項１に記載の遊技機の可動装飾装置。
【請求項３】
前記スライドレールを、外レールと、前記外レールに対して進退可能になった内レールとからなる複数組のレール部材で構成し、所定のレール部材の外レールと、他のレール部材の内レールとを連結することにより、前記スライドレールを伸縮可能にした請求項１または２に記載の遊技機の可動装飾装置。
【請求項４】
前記モータおよび前記モータプーリを前記基端側レールの基端側部分の側方に配置した請求項１ないし３のうちのいずれか一つに記載の遊技機の可動装飾装置。
【請求項５】
遊技面に窓部を設け、前記スライドレールの伸長によって前記装飾部材が前記窓部に現れ、前記スライドレールの収縮によって前記装飾部材が前記窓部の縁部側に隠れるようにした請求項１ないし４のうちのいずれか一つに記載の遊技機の可動装飾装置。
【請求項６】
前記装飾部材と、前記ベース部との一方に被検出部を設け、他方に前記被検出部を検出するセンサを設けた請求項１ないし５のうちのいずれか一つに記載の遊技機の可動装飾装置。
【発明の詳細な説明】
【技術分野】
【０００１】
本発明は、遊技面を装飾するための装飾部材を備えた遊技機の可動装飾装置に関する。
【背景技術】
【０００２】
従来から、パチンコ機やスロットルマシン等の遊技機においては、遊技の面白さを増すためや、リーチのような遊技状態を表すために、装飾部材を移動させる可動装飾装置が設けられている（例えば、特許文献１参照）。この可動装飾装置（演出用動力伝達機構）は、モータと、モータの動力を伝達する動力伝達部と、動力伝達部からの動力を受けて演出用可動部品を昇降させる昇降機構部とを備えている。そして、動力伝達部は、収容ケースと、収容ケースに回転自在に支持された歯車機構部と、歯車機構部からの動力を受けて回転する従動プーリと、従動プーリに巻かれたワイヤと、ワイヤの繰り出し方向を変更する方向変換プーリと、方向変換プーリから繰り出されたワイヤを演出用可動部品側に案内する案内プーリとを備えている。
【０００３】
また、昇降機構部は、収容ケースの幅方向両側に取り付けられて上下方向に延びる伸縮自在のレール部材と、レール部材に取り付けられたスライド板とを備えており、スライド板には演出用可動部品が回動可能に取り付けられている。このため、モータを一方に回転させると、従動プーリがワイヤを巻き取って、演出用可動部品は下方位置から上方位置に移動する。また、モータを逆方向に回転させると、従動プーリは回転自在なフリーな状態になって、演出用可動部品は自重によって下方位置に移動する。
【先行技術文献】
【特許文献】
【０００４】
【特許文献１】特開２０１１−１３０８０３号公報
【発明の概要】
【０００５】
前述した従来の可動装飾装置では、演出用可動部品の下方位置から上方位置への移動は、モータの駆動力によって行い、演出用可動部品の上方位置から下方位置への移動は、演出用可動部品の自重によって行うようにしている。このため、前述した可動装飾装置では、モータや動力伝達部を上方に位置させ、演出用可動部品を下方に位置させた状態で、演出用可動部品を上下方向に移動させるという方法に制限される。
【０００６】
本発明は、前述した問題に対処するためになされたもので、その目的は、装飾部材が移動する方向を任意の方向にすることのできる遊技機の可動装飾装置を提供することである。なお、下記本発明の各構成要件の記載においては、本発明の理解を容易にするために、実施形態の対応箇所の符号を括弧内に記載しているが、本発明の構成要件は、実施形態の符号によって示された対応箇所の構成に限定解釈されるべきものではない。
【０００７】
前述した目的を達成するため、本発明に係る遊技機の可動装飾装置の構成上の特徴は、遊技面（１１）を装飾するための装飾部材（Ａ）を備えた遊技機の可動装飾装置（２０，２０Ａ）において、遊技機の本体側に取り付けられるベース部（２１）と、ベース部に固定された基端側レール（３１ａ）と、装飾部材を支持する先端側レール（３２ｂ，４１ｂ）とを含む複数のレール（３１ａ，３１ｂ，３２ａ，３２ｂ，４１ａ，４１ｂ）からなり、ベース部から伸縮可能になったスライドレール（３３，４３）と、ベース部と複数のレールの伸縮方向の端部の両側部とのうちの所定部分にそれぞれ設けられた複数のレールプーリ（３４ａ，３４ｂ，３５ａ，３５ｂ，３６ａ，３６ｂ，４５ａ，４５ｂ，４６ａ，４６ｂ）と、複数のレールプーリのうちのベース部および複数のレールの一方の側部に設けられたレールプーリ（３４ａ，３５ａ，３６ａ，４５ａ，４６ａ）に掛け渡されベース部側に位置する部分を引っ張ることによりスライドレールを収縮状態から伸長状態にし、ベース部側に位置する部分を引っ張った状態を解除することによりスライドレールを収縮可能にする伸長糸部材（３７，４７）と、複数のレールプーリのうちのベース部および複数のレールの他方の側部に設けられたレールプーリ（３５ｂ，３６ｂ，４５ｂ，４６ｂ）に掛け渡されベース部側に位置する部分を引っ張ることによりスライドレールを伸長状態から収縮状態にし、ベース部側に位置する部分を引っ張った状態を解除することによりスライドレールを伸長可能にする収縮糸部材（３８，４８）と、正逆回転するモータ（２２）と、伸長糸部材と収縮糸部材とのベース部側に位置する部分を巻回可能で、モータの作動によって一方に回転して伸長糸部材を巻き取ることによってスライドレールを伸長させ、モータの作動によって他方に回転し収縮糸部材を巻き取ることによってスライドレールを収縮させるモータプーリ（２３）とを備えたことにある。
【０００８】
本発明に係る遊技機の可動装飾装置では、伸縮可能なスライドレールの基端側部分をベース部に固定して先端側部分に装飾部材を支持させるとともに、モータの正逆回転によって一方または他方に回転するモータプーリに伸長糸部材と収縮糸部材との基端側部分を巻回可能にしている。そして、モータプーリが一方に回転するときに、伸長糸部材がモータプーリに巻き取られてスライドレールが伸長するように、伸長糸部材をベース部および複数のレールの一方側に設けられたレールプーリに掛け渡し、モータプーリが他方に回転するときに、収縮糸部材がモータプーリに巻き取られてスライドレールが収縮するように、収縮糸部材をベース部および複数のレールの他方側に設けられたレールプーリに掛け渡している。
【０００９】
このため、スライドレールの伸長も収縮もモータの駆動力に従ったものになり、装飾部材をベース部に対して下方に配置するだけでなく、ベース部に対して上方、水平方向、斜め方向などどの方向にでも配置しても、装飾部材を、ベース部から進退させることができるようになる。この場合、装飾部材が予想外の方向に進退させることができるため、意外性がでて遊技機が興趣に富むものとなる。なお、本発明において、ベース部に設けられるレールプーリは、ベース部におけるスライドレールの両側部の延長線上の位置の近傍に配置することが好ましい。また、モータとしては、ステッピングモータを用いることが好ましい。これによると、スライドレールを所定の長さまで伸長させるための制御が容易になる。
【００１０】
本発明に係る遊技機の可動装飾装置の他の構成上の特徴は、ベース部および複数のレールの一方の側部に設けられたレールプーリと、ベース部および複数のレールの他方の側部に設けられたレールプーリとを、それぞれ同軸上に位置する一対のレールプーリで構成したことにある。本発明によると、一方に設けられたレールプーリと、他方に設けられたレールプーリとが対称に配置されるため、一対のプーリをそれぞれ支軸の両側に設けて一体に形成することができる。これによると、レールプーリをレールに取り付ける作業が容易になる。
【００１１】
本発明に係る遊技機の可動装飾装置のさらに他の構成上の特徴は、スライドレールを、外レール（３１ａ，３２ａ，４１ａ）と、外レールに対して進退可能になった内レール（３１ｂ，３２ｂ，４１ｂ）とからなる複数組のレール部材（３１，３２，４１）で構成し、所定のレール部材（３２，４１）の外レール（３２ａ，４１ａ）と、他のレール部材（３１，３２）の内レール（３１ａ，３２ａ）とを連結することにより、スライドレールを伸縮可能にしたことにある。本発明によると、所定のレール部材の外レールと、他のレール部材の内レールとを連結していくことにより、複数のレール部材を順次連結していくことができる。このため、スライドレールが伸長したときの長さを任意の長さにすることができる。また、スライドレールが収縮するときには、順次内レールが外レール内に収まるようになるため、全体としてコンパクトになる。
【００１２】
本発明に係る遊技機の可動装飾装置のさらに他の構成上の特徴は、モータおよびモータプーリを基端側レールの基端側部分の側方に配置したことにある。本発明によると、可動装飾装置におけるスライドレールが伸縮する方向の長さを極力短くすることができる。このため、可動装飾装置を配置しやすくなる。例えば、可動装飾装置のベース部を設置するスペースが幅の狭いスペースである場合でも、そのスペースがモータとモータプーリとを配置できるスペースであれば、可動装飾装置を配置することができる。また、この場合、方向変換プーリ等を用いて、伸長糸部材と収縮糸部材との基端側部分と先端側部分との方向を変えることもできる。
【００１３】
本発明に係る遊技機の可動装飾装置のさらに他の構成上の特徴は、遊技面に窓部（１５）を設け、スライドレールの伸長によって装飾部材が窓部に現れ、スライドレールの収縮によって装飾部材が窓部の縁部側に隠れるようにしたことにある。本発明によると、装飾部材を窓部の上方だけでなく、下方や側方から進退させることもできるため、意外性がでて遊技機が興趣に富むものとなる。
【００１４】
本発明に係る遊技機の可動装飾装置のさらに他の構成上の特徴は、装飾部材と、ベース部との一方に被検出部（２７ａ）を設け、他方に被検出部を検出するセンサ（２６）を設けたことにある。本発明によると、装飾部材がベース部に対して後退した位置、すなわち、センサが被検出部を検出する位置を基準位置とすることができる。このため、センサが被検出部を検出したときに、モータの作動を停止することにより、装飾部材を基準位置に正確に停止させることができる。
【図面の簡単な説明】
【００１５】
【図１】本発明の第１実施形態に係る２段式可動装飾装置における装飾部材が下降した状態のパチンコ機を示した正面図である。
【図２】本発明の第１実施形態に係る２段式可動装飾装置における装飾部材が上昇した状態のパチンコ機を示した正面図である。
【図３】装飾部材が下降した状態の２段式可動装飾装置を示しており、（ａ）は正面図、（ｂ）は左側面図、（ｃ）は右側面図である。
【図４】装飾部材が下降した２段式可動装飾装置を前方から見た状態を示した斜視図である。
【図５】装飾部材が下降した２段式可動装飾装置を後方から見た状態を示した斜視図である。
【図６】２段式可動装飾装置の分解斜視図である。
【図７】装飾部材が中段まで上昇した２段式可動装飾装置を前方から見た状態を示した斜視図である。
【図８】装飾部材が中段まで上昇した２段式可動装飾装置を後方から見た状態を示した斜視図である。
【図９】装飾部材が上段まで上昇した状態の２段式可動装飾装置を示しており、（ａ）は正面図、（ｂ）は左側面図、（ｃ）は右側面図である。
【図１０】装飾部材が上段まで上昇した２段式可動装飾装置を前方から見た状態を示した斜視図である。
【図１１】装飾部材が上段まで上昇した２段式可動装飾装置を後方から見た状態を示した斜視図である。
【図１２】装飾部材が中段まで下降した２段式可動装飾装置を前方から見た状態を示した斜視図である。
【図１３】装飾部材が中段まで下降した２段式可動装飾装置を後方から見た状態を示した斜視図である。
【図１４】２段式可動装飾装置を伸長糸部材側から見た説明図であり、（ａ）はスライドレールが収縮した状態を示し、（ｂ）はスライドレールが伸長した状態を示している。
【図１５】２段式可動装飾装置を収縮糸部材側から見た説明図であり、（ａ）はスライドレールが収縮した状態を示し、（ｂ）はスライドレールが伸長した状態を示している。
【図１６】本発明の第２実施形態に係る３段式可動装飾装置における装飾部材が下降した状態を前方から見た斜視図である。
【図１７】装飾部材が１段上昇した３段式可動装飾装置を前方から見た状態を示した斜視図である。
【図１８】装飾部材が２段上昇した３段式可動装飾装置を前方から見た状態を示した斜視図である。
【図１９】装飾部材が最上段まで上昇した３段式可動装飾装置を前方から見た状態を示した斜視図である。
【図２０】３段式可動装飾装置を伸長糸部材側から見た説明図であり、（ａ）はスライドレールが収縮した状態を示し、（ｂ）はスライドレールが伸長した状態を示している。
【図２１】３段式可動装飾装置を収縮糸部材側から見た説明図であり、（ａ）はスライドレールが収縮した状態を示し、（ｂ）はスライドレールが伸長した状態を示している。
【発明を実施するための形態】
【００１６】
（第１実施形態）
以下、本発明の第１実施形態を図面を用いて説明する。図１および図２は、同実施形態に係る２段式の可動装飾装置２０（図３（ａ）〜（ｃ）ないし図５参照）を備えた本発明に係る遊技機としてのパチンコ機１０を示している。パチンコ機１０の表面における上部側部分には遊技面１１が設けられており、その下方には、遊技球（図示せず）を一旦溜めて順次発射位置に供給する上皿１２と、上皿１２から間隔を保って１個ずつ供給される遊技球を遊技面１１内に向けて発射するハンドル１３を含む球発射装置が設けられている。そして、上皿１２の下方に、遊技球を溜めるための下皿１４が設けられている。
【００１７】
また、遊技面１１の中央には、矩形の窓部１５が設けられ、窓部１５の奥に、演出効果を発揮するための画像を表示する液晶画面１６が設けられている。この液晶画面１６は、窓部１５の奥側に位置しており、液晶画面１６の下部と、窓部１５の下縁部との間には遊技球が通過できない幅の隙間が形成されている。そして、遊技面１１における窓部１５の下方に２つの入賞装置１７ａ，１７ｂとアウト口１８とが、前述した順に、上方から下方に間隔を保って設けられている。入賞装置１７ａは、いわゆるチャッカーを構成する入賞口であり、入賞装置１７ａ内に遊技球が入ると、所定数の遊技球が賞球として、パチンコ機１０の裏面上部に設置された球タンクから球払出装置（図示せず）を介して上皿１２に送られる。
【００１８】
また、入賞装置１７ｂは、いわゆるアタッカーを構成する入賞口であり、「大当たり」の際に、所定時間開閉を繰り返すことにより遊技球を入賞し易くする。この場合も、入賞装置１７ｂ内に遊技球が入ると、所定数の遊技球が賞球として、球タンクから上皿１２に送られる。アウト口１８は、入賞装置１７ａ，１７ｂに入らなかった遊技球を通過させてパチンコ機１０の下方に設置された回収タンク（図示せず）に送るためのゲート穴である。なお、入賞装置１７ａ，１７ｂに入った遊技球も他の経路を通過して回収タンクに送られる。
【００１９】
可動装飾装置２０は、パチンコ機１０の躯体部分等からなる本体の内部における液晶画面１６の下方に組み込まれ、遊技面１１に形成された窓部１５の内部側で装飾部材Ａを昇降させることにより遊技面１１に変化を生じさせるものである。以下の可動装飾装置２０の説明において、上下、前後および左右の各方向は、図３（ａ）に基づくものとする。可動装飾装置２０は、ベース部２１と、ベース部２１にそれぞれ取り付けられるモータ２２、モータプーリ２３、方向変換プーリ２４，２５およびセンサ２６と、ベース部２１から上方に向かって伸縮可能になった伸縮機構３０と、伸縮機構３０の上端に固定され表面に装飾部材Ａが取り付けられる取付板２７とを備えている。
【００２０】
ベース部２１は、図５および図６に示したように、横長の矩形の基部２１ａの上縁部の左側部分から上方に縦長の矩形のレール支持部２１ｂが突出し、基部２１ａの右側下部に前面が突出し後面が凹部になったモータ取付部２１ｃが形成された板状の部材で構成されている。モータ取付部２１ｃの中央部分には、前後に貫通する円形の挿通孔２１ｄが形成されている。また、レール支持部２１ｂの上端における後面の両側には、挿通穴を備えた一対の軸受部２１ｅが両挿通穴を対向させて形成されている。さらに、基部２１ａの前面上部における左右方向の略中央部分には、一対の円筒状の取付部２１ｆが上下に間隔を保って形成され、ベース部２１の所定部分には、複数の取付用穴２１ｇ（図６には１０個の取付用穴２１ｇが図示されている）が形成されている。
【００２１】
モータ２２は、正逆回転が可能なステッピングモータからなっており、回転軸（図示せず）を挿通孔２１ｄに挿通させて、モータ取付部２１ｃの前面に取り付けられている。モータ２２の後端縁部における対向する部分には、それぞれ外部に向かって突出するねじ挿通片２２ａ（一方しか図示せず）が設けられており、このねじ挿通片２２ａにねじ（図示せず）を通し、そのねじをモータ取付部２１ｃに設けられた２個の取付用穴２１ｇに螺合させてモータ２２は、モータ取付部２１ｃに固定されている。
【００２２】
モータ取付部２１ｃの後面の凹部には、モータプーリ２３が配置されている。モータプーリ２３の前部中央には前方に突出する連結用の筒状部２３ａが形成されている。この筒状部２３ａの内部は、段違いに形成されており、内部の直径は前部が後部よりも大きくなっている。そして、モータプーリ２３は、筒状部２３ａを挿通孔２１ｄ内に回転可能に挿入し筒状部２３ａの内部の小径部分にモータ２２の回転軸を挿し込むことによりモータ２２に連結されている。このため、モータプーリ２３は、モータ２２の作動により、回転軸とともに正逆回転する。
【００２３】
また、図５に示したように、方向変換プーリ２４，２５は、基部２１ａの後面におけるモータ取付部２１ｃの凹部の左側（図５では右側）に設けられた円筒状の軸部２４ａ，２５ａと、頭部がフランジ状に形成されたねじ（図示せず）とを介して配置されている。方向変換プーリ２４は、基部２１ａの上下方向の中央に、左側端部がレール支持部２１ｂの左側部（図５では右側部）の下方に略位置するように配置され、方向変換プーリ２５は、基部２１ａの上部に、左側端部がレール支持部２１ｂの右側部（図５では左側部）の下方に略位置するように配置されている。
【００２４】
方向変換プーリ２４は、中心に形成された穴部２４ｂに、基部２１ａの上下方向の中央で、レール支持部２１ｂの下方に位置する取付用穴２１ｇに固定された軸部２４ａを通し、その軸部２４ａの先端部にフランジ付きねじを螺合させることにより抜け止め保持された状態で回転可能に取り付けられている。方向変換プーリ２５は、中心に形成された穴部２５ｂに、基部２１ａの上部で、左右方向の略中央に位置する取付用穴２１ｇに固定された軸部２５ａを通し、その軸部２５ａの先端部にフランジ付きねじを螺合させることにより抜け止め保持された状態で回転可能に取り付けられている。
【００２５】
センサ２６は、発光部と受光部とを備えた平面視がコ字状の検出部２６ａと、上下両側に挿通穴が形成された長円形の取付片２６ｂとで構成されており、コ字状の開放側を左側に向けて基部２１ａの前面に設けられた一対の取付部２１ｆに固定されている。この場合、取付片２６ｂの挿通穴を取付部２１ｆに合わせるとともに、取付片２６ｂの挿通穴にねじ（図示せず）を通し、その先端側部分を取付部２１ｆに螺合させることにより、センサ２６は、基部２１ａに固定されている。
【００２６】
伸縮機構３０は、２個のレール部材３１，３２からなるスライドレール３３と、ベース部側プーリ３４と、下部プーリ組付体３５と、上部プーリ組付体３６と、伸長糸部材３７と、収縮糸部材３８とで構成されている。レール部材３１は、外レール３１ａと、外レール３１ａ内に組み付けられる内レール３１ｂと、ボールとボールリテーナとからなるボールベアリング（図示せず）とを備えた２メンバー式のレール部材からなっている。外レール３１ａの断面形状は、両側部が湾曲して外部に突出したコ字状に形成され、内レール３１ｂの断面形状は、両側部が湾曲して内部に窪んだコ字状に形成されている。
【００２７】
そして、内レール３１ｂは、コ字状の開放側を外レール３１ａの凹部の奥側に位置させ、内レール３１ｂの一方の側部と外レール３１ａの一方の側部との間および内レール３１ｂの他方の側部と外レール３１ａの他方の側部との間にそれぞれボールベアリングを配置することにより、外レール３１ａ内に組み付けられている。これによって、内レール３１ｂは、外レール３１ａの凹部側で、外レール３１ａに重なった状態と外レール３１ａの上方に突出した状態との間で移動可能になっている。また、外レール３１ａの後面部の幅方向の中央における上下両側部分と中央部分には、それぞれ貫通穴３１ｃが形成され、内レール３１ｂの前面部の幅方向の中央における上下両側部分と中央部分には、それぞれねじ穴３１ｄが形成されている。
【００２８】
レール部材３２は、レール部材３１と同一のもので構成されており、外レール３２ａ、内レール３２ｂおよびボールとボールリテーナとからなるボールベアリング（図示せず）を備えた２メンバー式のレール部材からなっている。そして、外レール３２ａには、３個の貫通穴３２ｃが形成され、内レール３２ｂには、３個のねじ穴３２ｄが形成されている。レール部材３１の外レール３１ａは、３個の貫通穴３１ｃにそれぞれねじ（図示せず）を通し、そのねじを基部２１ａおよびレール支持部２１ｂの取付用穴２１ｇに螺合させることにより、基部２１ａとレール支持部２１ｂとに沿って垂直に固定されている。また、レール部材３１の内レール３１ｂと、レール部材３２の外レール３２ａとは、外レール３２ａの３個の貫通穴３２ｃにそれぞれねじ（図示せず）を通し、そのねじを内レール３１ｂの３個のねじ穴３１ｄに螺合させることにより連結されている。
【００２９】
このため、スライドレール３３は、上下方向に伸縮することができる。すなわち、図３ないし図５に示したスライドレール３３が収縮した状態から、外レール３２ａに対して内レール３２ｂをスライドさせて上昇させると、図７および図８の状態になる。その状態から、さらに、内レール３２ｂを上方に引っ張って上昇させると、内レール３２ｂとともに外レール３２ａが上昇し、この外レール３２ａの上昇によって内レール３１ｂは上方に引っ張られる。このため、内レール３１ｂは、外レール３１ａに対してスライドしながら上昇していき、スライドレール３３は、図９ないし図１１に示したように、伸長した状態になる。このように、スライドレール３３は２段階にわたって伸長する。
【００３０】
また、逆の操作により、スライドレール３３を伸長した状態から収縮させることができる。すなわち、図９ないし図１１に示した状態から、外レール３２ａに対して内レール３２ｂをスライドさせて下降させると、図１２および図１３の状態になり、さらに、外レール３１ａに対して内レール３１ｂをスライドさせて下降させると、図３ないし図５に示した状態になる。なお、前述の説明で用いた図３ないし図５および図７ないし図１３は、内レール３２ｂに取付板２７が取り付けられた状態を示している。
【００３１】
ベース部側プーリ３４は、図５および図６に示したように、小さな一対のレールプーリ３４ａ，３４ｂと、レールプーリ３４ａ，３４ｂをそれぞれ回転可能に支持する支軸３４ｃとで構成されている。支軸３４ｃは、ベース部２１のレール支持部２１ｂの左右の幅よりも少し長く、軸受部２１ｅの挿通穴に挿通可能な軸体で構成されており、両端をレール支持部２１ｂの側部から突出させて一対の軸受部２１ｅの挿通穴を挿通している。そして、レールプーリ３４ａ，３４ｂは、支軸３４ｃの両端に回転可能に支持されて、レール支持部２１ｂの両側に位置している。
【００３２】
下部プーリ組付体３５は、小さな一対のレールプーリ３５ａ，３５ｂと、組付片３５ｃ，３５ｄと、レールプーリ３５ａを組付片３５ｃに回転可能に組み付ける短軸部３５ｅと、レールプーリ３５ｂを組付片３５ｄに回転可能に組み付ける短軸部３５ｆとで構成されている。組付片３５ｃと組付片３５ｄとは、互いに嵌合可能な凸部と凹部とを備えた板状部材で構成されており、組み合わされることにより、外レール３２ａの後面下部に沿える略矩形の板状に形成される。
【００３３】
また、組付片３５ｃ，３５ｄの外側部下端からは、それぞれ挿通穴を備えた支持片３５ｇが、内レール３１ｂの両側部を余裕を持って挟める間隔を保って後方に向かって突出している。そして、レールプーリ３５ａは、短軸部３５ｅと一方の支持片３５ｇの挿通穴を介して組付片３５ｃに回転可能に組み付けられ、レールプーリ３５ｂは、短軸部３５ｆと他方の支持片３５ｇの挿通穴を介して組付片３５ｄに回転可能に組み付けられている。また、組み付けられた状態の組付片３５ｃ，３５ｄの上下には、それぞれねじ挿通穴３５ｈが形成されている。
【００３４】
なお、短軸部３５ｅ，３５ｆは、それぞれ支持片３５ｇの挿通穴を内側から外側に向かって挿通され、内側の端部にカシメ加工が施される。ついで、短軸部３５ｅ，３５ｆの外側部分をレールプーリ３５ａ，３５ｂの中心穴に通し、その端部にＥリングを係合させることにより、レールプーリ３５ａ，３５ｂはそれぞれ組付片３５ｃ，３５ｄに組み付けられる。この際のカシメ加工を容易にするために、２個の部材からなる組付片３５ｃ，３５ｄを用いている。したがって、製造上問題なければ、組付片３５ｃ，３５ｄは一体に形成してもよい。なお、前述したベース部側プーリ３４の支軸３４ｃの両端にもＥリングが係合しているが、この場合、支軸３４ｃが１本の長い軸で構成されているため、レールプーリ３４ａ，３４ｂの組み付けは容易である。
【００３５】
このように構成された下部プーリ組付体３５は、外レール３２ａの後面下部と内レール３１ｂの前面下部との間に組付片３５ｃ，３５ｄを位置させた状態で、前述した外レール３２ａと内レール３１ｂとを固定する３個のねじのうちの外レール３２ａと内レール３１ｂとの中央と下部を固定する２個のねじによって固定されている。この場合、レールプーリ３５ａ，３５ｂ、短軸部３５ｅ，３５ｆおよび支持片３５ｇは、内レール３１ｂの下端両側部で、かつ、外レール３１ａ，３２ａ間の隙間に位置するようになり、スライドレール３３が収縮したときには、図３（ａ），（ｂ）に示したように、外レール３１ａ，３２ａの下端部間に位置する。このため、スライドレール３３が伸縮するときに、レールプーリ３５ａ，３５ｂが障害になることはない。
【００３６】
すなわち、レールプーリ３５ａ，３５ｂを連結する軸部を１本の軸部でなく、２本の短軸部３５ｅ，３５ｆで構成したことにより、短軸部３５ｅ，３５ｆ間に内レール３１ｂを位置させてレールプーリ３５ａ，３５ｂを内レール３１ｂの下端両側部に配置することができる。これによって、短軸部３５ｅ，３５ｆが内レール３１ｂの下端よりも下方に突出して、可動装飾装置２０全体の上下方向の長さが長くなることを防止できる。
【００３７】
上部プーリ組付体３６は、小さな一対のレールプーリ３６ａ，３６ｂと、レールプーリ３６ａ，３６ｂをそれぞれ回転可能に支持する支軸３６ｃと、支軸３６ｃを支持する断面形状がコ字状の組付片３６ｄとで構成されており、幅方向中央の下部側部分に、ねじ挿通穴３６ｅが形成されている。また、組付片３６ｄの両側部上端側には、それぞれ挿通穴が形成されており、この挿通穴に支軸３６ｃが挿通している。そして、レールプーリ３６ａ，３６ｂは、組付片３６ｄの両側部から突出した支軸３６ｃの両端に回転可能に組み付けられている。なお、支軸３６ｃの両端にもＥリングが係合しているが、この場合も、支軸３６ｃが１本の長い軸で構成されているため、レールプーリ３６ａ，３６ｂの組み付けは容易であり、組付片３６ｄは一体の部材で構成されている。
【００３８】
このように構成された上部プーリ組付体３６は、外レール３２ａの上部を後方から覆い、外レール３２ａの後面上部と内レール３１ｂの前面上部との間に組付片３６ｄを位置させた状態で、前述した外レール３２ａと内レール３１ｂとを固定する３個のねじのうちの外レール３２ａと内レール３１ｂとの上部を固定する１個のねじによって固定されている。この場合、組付片３６ｄの上部は、外レール３２ａと内レール３１ｂとの上端よりも上方に突出しており、これによって、レールプーリ３６ａ，３６ｂおよび支軸３６ｃも外レール３２ａと内レール３１ｂとの上端よりも上方に位置している。
【００３９】
また、レールプーリ３６ａ，３６ｂおよび支軸３６ｃは、外レール３２ａに対して内レール３２ｂがスライド移動しても内レール３２ｂとは接触しない位置に配置されている。このため、スライドレール３３が伸縮するときに、レールプーリ３６ａ，３６ｂが障害になることはない。なお、スライドレール３３が収縮したときには、図３（ｂ），（ｃ）に示したように、レールプーリ３６ａ，３６ｂは、スライドレール３３の上方でスライドレール３３に接触しない位置に位置するようになる。
【００４０】
伸長糸部材３７は、天然繊維や、ナイロン、ガラス繊維からなる糸で構成されており、図１４（ａ），（ｂ）に示したように、スライドレール３３の左側に配置されたレールプーリ３４ａ，３５ａ，３６ａに掛け渡されている。すなわち、伸長糸部材３７は、下方から上昇してレールプーリ３４ａの上部に掛け渡されたのちに下降してレールプーリ３５ａの下部に掛け渡され再度上昇してレールプーリ３６ａの上部に掛け渡されている。そして、伸長糸部材３７の先端部は、下降して内レール３２ｂの下部（実際には、後述する取付板２７の下部）に連結されている。
【００４１】
また、伸長糸部材３７の基端側部分は、図５，８，１１，１３に示したように方向変換プーリ２４の左側（図５，８，１１，１３では右側）から下部にかけての部分に掛け渡されたのちにその端部がモータプーリ２３に連結されている。この場合、伸長糸部材３７の基端側部分は、モータプーリ２３の下部に掛け渡されるようにして延びており、これによって、伸長糸部材３７の基端側部分は、モータプーリ２３と方向変換プーリ２４との下部側で左右方向に延びている。
【００４２】
このように構成されているため、図１４（ａ）の状態からモータ２２を作動させてモータプーリ２３を一方（図５，８，１１，１３の状態で時計周り方向）に回転させると、伸長糸部材３７の基端側部分は、モータプーリ２３に巻き取られていき、伸長糸部材３７におけるレールプーリ３４ａとレールプーリ３５ａ、レールプーリ３６ａと内レール３２ｂの下部とにそれぞれ掛け渡された部分は短くなっていく。これによって、内レール３２ｂは外レール３２ａに対して、内レール３１ｂは外レール３１ａに対して、それぞれ上昇するようにスライドして図１４（ｂ）の状態になる。また、図１４（ｂ）の状態から、スライドレール３３が収縮して図１４（ａ）の状態に戻るときには、伸長糸部材３７の基端側部分は、モータプーリ２３から繰り出されていく。
【００４３】
収縮糸部材３８は、伸長糸部材３７と同じ材料からなる糸で構成されており、図１５（ａ），（ｂ）に示したように、スライドレール３３の右側に配置されたレールプーリ３５ｂ，３６ｂに掛け渡されている。すなわち、収縮糸部材３８は、下方から上昇してレールプーリ３６ｂの上部に掛け渡されたのちに下降してレールプーリ３５ｂの下部に掛け渡され、先端部は、内レール３２ｂの下部（実際には、取付板２７の下部）に連結されている。収縮糸部材３８の基端部は、モータプーリ２３に連結されている。
【００４４】
また、収縮糸部材３８の基端側部分は、図５，８，１１，１３に示したように方向変換プーリ２５の左側（図５，８，１１，１３では右側）から下部にかけての部分に掛け渡されたのちにその端部がモータプーリ２３に連結されている。この場合、収縮糸部材３８の基端側部分は、モータプーリ２３の上部に掛け渡されるようにして延びており、これによって、収縮糸部材３８の基端側部分は、モータプーリ２３と方向変換プーリ２５との下部側で左右方向に延びている。このように、伸長糸部材３７と収縮糸部材３８との基端側部分がそれぞれ左右方向に延びているため、可動装飾装置２０全体の高さを低くすることができる。また、図１５（ａ）に示したスライドレール３３が収縮した状態では、収縮糸部材３８の基端側部分は、所定長さ分モータプーリ２３に巻き取られた状態になっている。
【００４５】
このため、図１４（ｂ）に示したスライドレール３３が伸長した状態では、収縮糸部材３８の基端側部分は、モータプーリ２３から繰り出されて、収縮糸部材３８における方向変換プーリ２５とレールプーリ３６ｂ、レールプーリ３５ｂと内レール３２ｂの下部とにそれぞれ掛け渡された部分は長くなっている。その状態からモータ２２を逆方向に作動させてモータプーリ２３を他方（図５，８，１１，１３の状態で反時計周り方向）に回転させると、収縮糸部材３８の基端側部分は、モータプーリ２３に巻き取られていき、収縮糸部材３８における方向変換プーリ２５とレールプーリ３６ｂ、レールプーリ３５ｂと内レール３２ｂの下部とにそれぞれ掛け渡された部分は短くなっていく。これによって、内レール３２ｂは外レール３２ａに対して、内レール３１ｂは外レール３１ａに対して、それぞれ下降するようにスライドして図１５（ａ）の状態になる。
【００４６】
取付板２７は、上下の長さが内レール３２ｂの長さと略同じで左右の幅がレール支持部２１ｂの幅よりも少し長くなった矩形の板部材で構成されている。この取付板２７の右縁部の下部側部分には、後方に延びたのちに屈曲して右方向に延びるＬ形の被検出部２７ａが形成され、取付板２７の前面における下部の両側には、伸長糸部材３７の先端部を固定するための固定部２７ｂと、収縮糸部材３８の先端部を固定するための固定部２７ｃとが設けられている。また、取付板２７の幅方向の中央における上部と中央部には前後に貫通するねじ挿通穴２７ｄが形成され、取付板２７の前面における幅方向の中央の下部には、伸長糸部材３７や収縮糸部材３８の先端側部分を引っ掛けるためのピン２７ｅが設けられている。
【００４７】
この取付板２７は、上端を内レール３２ｂの上端よりも少し上方に位置させた状態で、内レール３２ｂの前面に沿わせ、取付板２７の前方からねじ挿通穴２７ｄにそれぞれねじを通し、そのねじを内レール３２ｂの上部と中央のねじ穴３２ｄに螺合させることにより、内レール３２ｂに固定されている。この取付板２７の前面には、装飾部材Ａが取り付けられる。また、図４に示したように、スライドレール３３が収縮して、取付板２７が下降したときには、被検出部２７ａの先端部分が、センサ２６の発光部と受光部との間に位置して光を遮断する。これによって、取付板２７が下方の始点に位置していることを認識できる。
【００４８】
このように構成された可動装飾装置２０は、パチンコ機１０の本体内部における液晶画面１６の下方に、ベース部２１を固定することによってパチンコ機１０に組み込まれている。そして、スライドレール３３が収縮した状態では、図１に示したように、装飾部材Ａは窓部１５の奥側下方に隠れ、スライドレール３３が伸長した状態では、図２に示したように、装飾部材Ａは窓部１５の中に現れる。また、このように構成された可動装飾装置２０を備えるパチンコ機１０には、モータ２２の作動を制御する制御装置や、制御装置にモータ２２を作動させるための作動信号を発信する信号発信装置などが備わっている。
【００４９】
そして、制御装置は、信号発信装置から送られる信号や、センサ２６から送られる信号等に基づいて、モータ２２を作動させる。このモータ２２の作動により、装飾部材Ａは上昇して窓部１５に現れたり、下降して窓部１５から隠れたりする。この場合、装飾部材Ａの上昇位置は、モータ２２の回転量によって決定され、装飾部材Ａの下降位置は、センサ２６が被検出部２７ａを検出したときの位置によって決定される。そして、パチンコ機１０を使用して遊技が行われている際に、装飾部材Ａの上昇・下降が信号に基づいた所定のタイミングで発生することにより、遊技の面白さが増加する。また、遊技状態が、大当たりの前のリーチの状態になったときに、装飾部材Ａを上昇させたり、下降させたりするように設定することもできる。この場合の装飾部材Ａが、窓部１５の上方からでなく、下方から現れるため、意外性がでて、興趣に富むものとなる。
【００５０】
以上のように、本実施形態に係る可動装飾装置２０では、伸縮可能なスライドレール３３の基端側レールである外レール３１ａをベース部２１に固定して、先端側レールである内レール３２ｂに取付板２７を介して装飾部材Ａを取り付けている。そして、ベース部２１に取り付けられたモータ２２の作動によって正逆回転するモータプーリ２３に伸長糸部材３７と収縮糸部材３８との基端側部分を巻回可能にしている。また、モータプーリ２３が一方に回転するときに、伸長糸部材３７がモータプーリ２３に巻き取られてスライドレール３３が伸長するように、伸長糸部材３７を左側に位置するレールプーリ３４ａ，３５ａ，３６ａに掛け渡し、モータプーリ２３が他方に回転するときに、収縮糸部材３８がモータプーリ２３に巻き取られてスライドレール３３が収縮するように、収縮糸部材３８を右側に位置するレールプーリ３５ｂ，３６ｂに掛け渡している。
【００５１】
このため、スライドレール３３の伸長も収縮もモータ２２の駆動力に従ったものになり、可動装飾装置２０の配置に応じて装飾部材Ａが進退する方向をどのような方向にでもすることができる。前述した実施形態では、装飾部材Ａは窓部１５の下方から現れて下方に隠れるようにしているが、この方向は、水平方向でも斜め方向でも任意の方向にすることができる。また、前述した実施形態では、方向変換プーリ２４，２５を用いることによって、モータ２２およびモータプーリ２３をスライドレール３３の下部の側方に位置させている。このため、可動装飾装置２０の長手方向の長さを極力短くすることができ、設置場所が狭い場合であっても可動装飾装置２０を配置できるようになる。また、モータ２２およびモータプーリ２３をベース部２１とは別の場所に配置することも可能である。
【００５２】
また、前述した実施形態では、スライドレール３３を、外レール３１ａと、外レール３１ａに対して進退可能になった内レール３１ｂとからなるレール部材３１と、外レール３２ａと、外レール３２ａに対して進退可能になった内レール３２ｂとからなるレール部材３２とで構成し、外レール３２ａと、内レール３１ｂとを連結することにより、スライドレール３３を２段階にわたって伸縮可能にしている。このため、装飾部材Ａを正確な軌道に沿って確実に移動させることができる。さらに、装飾部材Ａが取り付けられる取付板２７に被検出部２７ａを設け、ベース部２１に、被検出部２７ａを検出するセンサ２６を設けたため、装飾部材Ａがベース部２１に対して後退した基準位置にあることを検出することができる。
【００５３】
（第２実施形態）
図１６ないし図１９は、本発明の第２実施形態に係る３段式の可動装飾装置２０Ａを示している。この可動装飾装置２０Ａは、前述した可動装飾装置２０に、レール部材４１、下部プーリ組付体４５およびレールプーリ４６ａ，４６ｂ（図２０および図２１参照）を備えた上部プーリ組付体を加えるとともに、伸長糸部材４７と、収縮糸部材４８とをそれぞれ、前述した伸長糸部材３７と、収縮糸部材３８よりも長くした構成をしている。すなわち、可動装飾装置２０Ａは、前述した可動装飾装置２０における内レール３２ｂと取付板２７との間に、レール部材４１を組み込むとともに、レール部材４１に下部プーリ組付体４５および上部プーリ組付体を取り付けて、下部プーリ組付体４５および上部プーリ組付体に備わっているレールプーリ４６ａ，４６ｂ等にも伸長糸部材４７と、収縮糸部材４８とをそれぞれ掛け渡したものである。
【００５４】
したがって、以下の説明に用いる図１６ないし図２１においては、可動装飾装置２０にも備わっている各部分については、同一符号を記して説明は省略する。この可動装飾装置２０Ａでは、スライドレール４３が、３個のレール部材３１，３２，４１からなっており、レール部材４１は、レール部材３１，３２と同様、外レール４１ａと、外レール４１ａ内に組み付けられる内レール４１ｂと、ボールとボールリテーナとからなるボールベアリングとを備えた２メンバー式のレール部材からなっている。また、外レール４１ａの幅方向の中央における上下両側部分と中央部分には、それぞれ貫通穴４１ｃが形成され、内レール４１ｂの幅方向の中央における上下両側部分と中央部分には、それぞれねじ穴４１ｄが形成されている。
【００５５】
そして、外レール４１ａは、３個の貫通穴４１ｃにそれぞれねじを通し、そのねじを内レール３２ｂのねじ穴３２ｄに螺合させることにより、内レール３２ｂに固定されている。また、内レール４１ｂには、取付板２７が固定されており、この場合、取付板２７を、内レール４１ｂの前面に沿わせて、取付板２７の前方からねじ挿通穴２７ｄにそれぞれねじを通し、そのねじを内レール４１ｂの上部と中央のねじ穴４１ｄに螺合させることにより、内レール４１ｂに、取付板２７が固定されている。
【００５６】
下部プーリ組付体４５は、下部プーリ組付体３５と同じ構成をしており、レールプーリ４５ａ，４５ｂと、支持片４５ｇを備えた２個一組の組付片４５ｃと、短軸部４５ｅ，４５ｆとで構成されている。この下部プーリ組付体４５は、外レール４１ａの後面下部と内レール３２ｂの前面下部との間に組付片４５ｃを位置させた状態で、外レール４１ａと内レール３２ｂとを固定する３個のねじのうちの外レール４１ａと内レール３２ｂとの中央と下部を固定する２個のねじによって固定されている。
【００５７】
レールプーリ４６ａ，４６ｂを備えた上部プーリ組付体は、上部プーリ組付体３６と同じ構成をしており、レールプーリ４６ａ，４６ｂの他、レールプーリ４６ａ，４６ｂをそれぞれ回転可能に支持する支軸と、支軸を支持する組付片とで構成されており、幅方向中央の下部側部分に、ねじ挿通穴が形成されている。この上部プーリ組付体は、外レール４１ａの後面上部と内レール３２ｂの前面上部との間に組付片を位置させた状態で、外レール４１ａと内レール３２ｂとを固定する３個のねじのうちの外レール４１ａと内レール３２ｂとの上部を固定する１個のねじによって固定されている。
【００５８】
伸長糸部材４７は、図２０（ａ），（ｂ）に示したように、スライドレール４３の左側に配置されたレールプーリ３４ａ，３５ａ，３６ａ，４５ａ，４６ａに掛け渡されている。すなわち、伸長糸部材４７は、下方から上昇してレールプーリ３４ａの上部、レールプーリ３５ａの下部、レールプーリ３６ａの上部に順次掛け渡されたのちに、下降してレールプーリ４５ａの下部に掛け渡され、さらに上昇してレールプーリ４６ａの上部に掛け渡されている。そして、伸長糸部材４７の先端部は、下降して内レール４１ｂ（取付板２７）の下部に連結されている。
【００５９】
収縮糸部材４８は、図２１（ａ），（ｂ）に示したように、スライドレール４３の右側に配置されたレールプーリ３６ｂ，３５ｂ，４６ｂ，４５ｂに掛け渡されている。すなわち、収縮糸部材４８は、下方から上昇してレールプーリ３６ｂの上部、レールプーリ３５ｂの下部に掛け渡されたのちに、上昇してレールプーリ４６ｂの上部に掛け渡され、さらに下降してレールプーリ４５ｂの下部に掛け渡されている。そして、収縮糸部材４８の先端部は、内レール４１ｂ（取付板２７）の下部に連結されている。この可動装飾装置２０Ａのそれ以外の部分の構成は、前述した可動装飾装置２０と同一である。
【００６０】
このように構成したため、装飾部材Ａの移動距離が長くなり、動きが大きく見えるようになる。この可動装飾装置２０Ａのそれ以外の作用効果は、前述した可動装飾装置２０と同様である。
【００６１】
本発明に係る遊技機の可動装飾装置は、前述した各実施形態に限定するものでなく、適宜変更することができる。例えば、前述した実施形態では、下部プーリ組付体３５と上部プーリ組付体３６を別部材で構成しているが、これらの部材は一体に形成してもよい。下部プーリ組付体４５とレールプーリ４６ａ，４６ｂを備えた上部プーリ組付体も同様に一体に形成してもよい。また、各レールプーリ３４ａ，３４ｂ等の設置位置や、これらに対する伸長糸部材３７，４７および収縮糸部材３８，４８の掛け渡し方法についても、前述した実施形態に限定するものでなく、適宜変更することができる。
【００６２】
また、前述した実施形態では、伸長糸部材３７と収縮糸部材３８および伸長糸部材４７と収縮糸部材４８をそれぞれ別の糸部材で構成しているが、これらの糸部材は１本の糸で構成してもよい。この場合、糸部材におけるモータプーリ２３の周面に位置する所定部分をモータプーリ２３に固定して、糸部材がスリップしないようにすることが好ましい。さらに、本発明に係る遊技機としては、パチンコ機に限らず、スロットマシンやスマートボール等を用いてもよい。また、本発明に係る遊技機の可動装飾装置のそれ以外の部分の構成についても本発明の技術的範囲内で適宜変更して実施することが可能である。
【符号の説明】
【００６３】
１０…パチンコ機、１１…遊技面、１５…窓部、２０，２０Ａ…可動装飾装置、２１…ベース部、２２…モータ、２３…モータプーリ、２６…センサ、２７ａ…被検出部、３１，３２，４１…レール部材、３１ａ，３２ａ，４１ａ…外レール、３１ｂ，３２ｂ，４１ｂ…内レール、３３，４３…スライドレール、３４ａ，３４ｂ，３５ａ，３５ｂ，３６ａ，３６ｂ，４５ａ，４５ｂ，４６ａ，４６ｂ…レールプーリ、３７，４７…伸長糸部材、３８，４８…収縮糸部材、Ａ…装飾部材。
【図１】
2014004004.tif 000003
【図２】
2014004004.tif 000004
【図３】
2014004004.tif 000005
【図４】
2014004004.tif 000006
【図５】
2014004004.tif 000007
【図６】
2014004004.tif 000008
【図７】
2014004004.tif 000009
【図８】
2014004004.tif 000010
【図９】
2014004004.tif 000011
【図１０】
2014004004.tif 000012
【図１１】
2014004004.tif 000013
【図１２】
2014004004.tif 000014
【図１３】
2014004004.tif 000015
【図１４】
2014004004.tif 000016
【図１５】
2014004004.tif 000017
【図１６】
2014004004.tif 000018
【図１７】
2014004004.tif 000019
【図１８】
2014004004.tif 000020
【図１９】
2014004004.tif 000021
【図２０】
2014004004.tif 000022
【図２１】
2014004004.tif 000023